(57)【要約】【課題】屋根のハゼに対して強固に取付可能な屋根用取付金具を提供すること。【解決手段】左右の挟持板１間に、この左右の挟持板１夫々に設けられているボルト通し孔２を介して締付ボルト３が貫通配設され、この締付ボルト３若しくは締付ボルト３に螺着した締付ナット４の締付操作により左右の挟持板１の夫々の下部に形成されている挟持対向部５同志を接近させて屋根６のハゼ７の下側首部７Ａに締付挟持固定し得るように構成され、左右の挟持板１の夫々の前記ボルト通し孔２の近傍に、左右の挟持板１の対向内側に向けて突出する補強リブ部８が設けられ、この補強リブ部８同志を前記締付ボルト３若しくは前記締付ナット４の締付操作により接近させて前記ハゼ７の上側幅広頭部７Ｂに締付挟持固定し得るように構成されている屋根用取付金具。【選択図】図４
2020190165.tif 000002
【特許請求の範囲】
【請求項１】
一対の挟持板が左右に対向配設され、この左右の挟持板間に、この左右の挟持板夫々に設けられているボルト通し孔を介して締付ボルトが貫通配設され、この締付ボルト若しくは締付ボルトに螺着した締付ナットの締付操作により左右の挟持板の夫々の下部に形成されている挟持対向部同志を接近させて屋根のハゼの下側首部に締付挟持固定し得るように構成されている屋根用取付金具において、前記左右の挟持板の夫々の前記ボルト通し孔の近傍に、左右の挟持板の対向内側に向けて突出する補強リブ部が設けられ、この補強リブ部同志を前記締付ボルト若しくは前記締付ナットの締付操作により接近させて前記ハゼの上側幅広頭部に締付挟持固定し得るように構成されていることを特徴とする屋根用取付金具。
【請求項２】
前記補強リブ部は、前記ハゼの上側幅広頭部に面接触する形状に形成されていることを特徴とする請求項１記載の屋根用取付金具。
【請求項３】
前記補強リブ部は、前記左右の挟持板の夫々の前記ボルト通し孔の近傍にして少なくともこのボルト通し孔の下方に設けられていることを特徴とする請求項１，２のいずれか１項に記載の屋根用取付金具。
【請求項４】
前記左右の挟持板の夫々の前記ボルト通し孔の近傍が、左右の挟持板の対向内側に向かって突出変形する形状に成形され、このボルト通し孔近傍の内向き突出変形板部が、前記補強リブ部として構成されていることを特徴とする請求項１〜３のいずれか１項に記載の屋根用取付金具。
【発明の詳細な説明】
【技術分野】
【０００１】
本発明は、縦葺屋根や折板屋根上に突設されたハゼに取付けて、適宜な屋根上設置物を屋根上に設置するための屋根用取付金具に関するものである。
【背景技術】
【０００２】
縦葺屋根用や折板屋根用のこの種屋根用取付金具としては、例えば、意匠登録第１５２９８０３号（特許文献１）のように、一対の挟持板が左右に対向配設され、この左右の挟持板間に締付ボルトが貫通配設され、この左右の挟持板の夫々の下端部にハゼの下側首部を挟持する挟持対向部が設けられ、前記締付ボルトに螺着したナットを締付回動することにより前記挟持対向部間を狭めて屋根のハゼに締付挟持固定可能に構成されているものがある。
【０００３】
また、この種の屋根用取付金具は、左右の挟持板に形成されている締付ボルト挿通用のボルト通し孔の周囲に、左右の挟持板の対向外側に向かって突出変形するようにリブ加工が施されて、この補強リブによって挟持板の剛性が高められているものが多い。
【先行技術文献】
【特許文献】
【０００４】
【特許文献１】意匠登録第１５２９８０３号公報
【発明の概要】
【発明が解決しようとする課題】
【０００５】
本発明は、この種の屋根用取付金具の実用性を更に追求したもので、簡易な改良によってハゼへの取付け強度が著しく向上する屋根用取付金具を提供するものである。
【課題を解決するための手段】
【０００６】
添付図面を参照して本発明の要旨を説明する。
【０００７】
一対の挟持板１が左右に対向配設され、この左右の挟持板１間に、この左右の挟持板１夫々に設けられているボルト通し孔２を介して締付ボルト３が貫通配設され、この締付ボルト３若しくは締付ボルト３に螺着した締付ナット４の締付操作により左右の挟持板１の夫々の下部に形成されている挟持対向部５同志を接近させて屋根６のハゼ７の下側首部７Ａに締付挟持固定し得るように構成されている屋根用取付金具Ａにおいて、前記左右の挟持板１の夫々の前記ボルト通し孔２の近傍に、左右の挟持板１の対向内側に向けて突出する補強リブ部８が設けられ、この補強リブ部８同志を前記締付ボルト３若しくは前記締付ナット４の締付操作により接近させて前記ハゼ７の上側幅広頭部７Ｂに締付挟持固定し得るように構成されていることを特徴とする屋根用取付金具に係るものである。
【０００８】
また、前記補強リブ部８は、前記ハゼ７の上側幅広頭部７Ｂに面接触する形状に形成されていることを特徴とする請求項１記載の屋根用取付金具に係るものである。
【０００９】
また、前記補強リブ部８は、前記左右の挟持板１の夫々の前記ボルト通し孔２の近傍にして少なくともこのボルト通し孔２の下方に設けられていることを特徴とする請求項１，２のいずれか１項に記載の屋根用取付金具に係るものである。
【００１０】
また、前記左右の挟持板１の夫々の前記ボルト通し孔２の近傍が、左右の挟持板１の対向内側に向かって突出変形する形状に成形され、このボルト通し孔２近傍の内向き突出変形板部８が、前記補強リブ部８として構成されていることを特徴とする請求項１〜３のいずれか１項に記載の屋根用取付金具に係るものである。
【発明の効果】
【００１１】
本発明は上述のように構成したから、補強リブ部により左右の挟持板は剛性が確保されており、また、左右の挟持板の挟持対向部がハゼの下側首部に締付挟持することに加えて、左右の挟持板の内側に突出する補強リブ部がハゼの上側幅広頭を締付挟持するため、ハゼに対し二箇所を締付挟持して強固に取付固定でき、しかも、補強リブ部がボルト通し孔近傍に設けられているので、締付ボルト若しくは締付ナットによる締付力の伝達ロスが小さく、補強リブ部の締付挟持力が上側幅広頭部に良好に伝達されて強固な挟持作用を発揮でき、ハゼへの取付安定性に優れ、それ故この種の屋根用取付金具には、屋根上での接地安定性を確保するために屋根上面への接地脚が設けられているものが多いが、このような接地脚を設けるとしても、仮置き時にだけ使用できれば良いような最低限の大きさのもので済むので、コスト安な製品を設計実現可能となり、その上、補強リブ部が左右の挟持板の対向内側に向けて突出しているため、外向きに突出する補強リブ部を備えた従来品に比して外形を小型化でき、施工時の取り回しが良い製品を容易に設計実現可能となるなど、極めて実用性に優れた屋根用取付金具となる。
【００１２】
また、請求項２記載の発明においては、補強リブ部がハゼの上側幅広頭部に面接触して挟持するため、この上側幅広頭部を傷つけにくく、しかも、例えば補強リブ部が締付挟持時にハゼの上側幅広頭部に対し面接しつつ上方や下方へ移動する形状に補強リブ部を形成することもでき、このように構成することで、挟持対向部と補強リブ部によるハゼへの締付挟持力を締付ボルト若しくは締付ナットによる締付方向の挟持力だけでなく、上方若しくは下方への挟持力としてハゼに伝達できるために非常に強固な締付挟持力を発揮して屋根（ハゼ）に高強度に取付固定できる一層実用性に優れた構成の屋根用取付金具となる。
【００１３】
また、請求項３記載の発明においては、この種の屋根用取付金具は、通常締付ボルトがハゼの上方に配置して取付けられるように構成されているため、この締付ボルトを挿通するボルト通し孔の少なくとも下方に設けられている補強リブ部によってハゼの上側幅広頭部を確実に締付挟持でき、前記作用効果を確実に発揮する一層実用性に優れた構成の屋根用取付金具となる。
【００１４】
また、請求項４記載の発明においては、前記作用効果を確実に発揮する補強リブ部付の挟持板を、例えばプレス加工等により簡易に設計実現可能となる上、補強リブ部の形成によって対向配置するボルト通し孔間の距離が近づくために、コスト安な短いボルトを締付ボルトに採用できて安価な製品を提供可能となるなど、一層実用性に優れた構成の屋根用取付金具となる。
【図面の簡単な説明】
【００１５】
【図１】本実施例を示す斜視図である。
【図２】本実施例を屋根上に仮置きした状態を示す説明正面図である。
【図３】図２に続いて、締付ナット（締付ボルト）を締付けて本実施例をハゼに締付挟持固定しようとする状態（締付ナット（締付ボルト）の締付途中の状態）を示す説明正面図である。
【図４】図３に続いて、締付ナット（締付ボルト）の締付けを完了した状態（本実施例を屋根のハゼに取付固定した状態）を示す説明正面図である。
【図５】本実施例の使用状態を示す説明側面図である。
【発明を実施するための形態】
【００１６】
好適と考える本発明の実施形態を、図面に基づいて本発明の作用を示して簡単に説明する。
【００１７】
本発明の屋根用取付金具Ａは、左右一対の挟持板１の剛性が補強リブ部８によって高められている。
【００１８】
左右一対の挟持板１で屋根６のハゼ７を挟むようにして屋根６上に本発明の屋根用取付金具Ａを配置し（本屋根用取付金具Ａをハゼ７に被嵌し）、左右の挟持板１間に貫通配設した締付ボルト３若しくはこの締付ボルト３に螺着した締付ナット４の締付操作により左右の挟持板１の夫々の下部に形成されている挟持対向部５同志を接近させると、この挟持対向部５が前記ハゼ７の下側首部７Ａを締付挟持して、本発明の屋根用取付金具Ａが屋根６上に取付固定される。
【００１９】
また、この際、左右の挟持板１の夫々の前記ボルト通し孔２の近傍に設けられて、この左右の挟持板１の対向内側に向けて突出している補強リブ部８同志も、前記締付ボルト３若しくは前記締付ナット４の締付操作により接近し、この補強リブ部８同志は前記ハゼ７の上側幅広頭部７Ｂに締付挟持することになる。
【００２０】
即ち、挟持対向部５がハゼ７の下側首部７Ａに締付挟持することに加えて、補強リブ部８がハゼ７の上側幅広頭部７Ｂに締付挟持するので、挟持対向部５がハゼ７の下側首部７Ａ一箇所だけを締付挟持する従来の締付挟持固定構造に比して、ハゼ７に対し著しく強固に締付挟持固定されることになる。
【００２１】
また、ボルト通し孔２の近傍に設けられている補強リブ部８は、締付ボルト３若しくは締付ナット４による締付力の伝達ロスが少なく、この補強リブ部８の締付挟持力が上側幅広頭部７Ｂに良好に伝達されて強固な挟持作用を発揮できる。
【００２２】
従って、このような強固な挟持作用を発揮できることで本発明はハゼ７への取付安定性に優れ、それ故、この種の屋根用取付金具Ａには、屋根６上での接地安定性を確保するために屋根６上面への接地脚13が設けられているものが多いが、このような接地脚13を設けるとしても、仮置き時にだけ使用できれば良いような最低限の大きさのもので済み、それだけコスト安な屋根用取付金具Ａを設計実現可能となる。
【００２３】
また、補強リブ部８が左右の挟持板１の対向内側に向けて突出している本発明の屋根用取付金具Ａは、左右の挟持板の対向外側に向かって補強リブ部が突出している従来品に比して外形を小型化することが可能であり、施工時の取り回しが容易な小型製品を簡易に設計実現可能となる。
【実施例】
【００２４】
本発明の具体的な実施例について図面に基づいて説明する。
【００２５】
本実施例は、屋根６のハゼ７に対して締付挟持固定可能な屋根用取付金具Ａであって、図１，図５に示すような雪止め材（雪止めアングル）10を取付可能な雪止め取付部９が設けられて成る屋根用雪止め金具に適用している。尚、本発明は、雪止め材10以外の屋根上設置物取付用としても適用可能である。
【００２６】
また、図面は、本屋根用取付金具Ａの取付対象の屋根６としてハゼ７を有する縦葺き屋根６（嵌合式のたて平葺き屋根６を示しているが、巻きハゼ式のたて平葺き屋根を固定対象としても良い。）を示しているが、ハゼ７を有するハゼ式折板屋根を取付対象としても良い。
【００２７】
以下、本実施例では、この屋根６のハゼ７の長さ方向、即ち屋根６の勾配方向に沿う方向に対応する金具方向を、屋根用取付金具Ａにおける前後方向と定めて説明する。
【００２８】
本実施例の屋根用取付金具Ａは、金属板がコ字状に折曲されることで左右の突出板部１が下部となり各突出板部１の基端部間の連設板部11が上部（天板部）となる形状に構成されており、この屋根用取付金具Ａの左右の突出板部１が、屋根６のハゼ７を左右から挟むようにして配設する挟持板１として構成されている。即ち、屋根用取付金具Ａは、一対の挟持板１が左右に対向配設されて、屋根６のハゼ７に上方から被嵌可能な形状に構成されている（図２参照）。
【００２９】
尚、本実施例では、一対の挟持板１が一体物で構成されている場合を示しているが、一対の挟持板１を別部品とする構成が採用されていても良い。
【００３０】
また、左右の挟持板１は、夫々の下端が対向内側に折曲されて、この下端折曲片がハゼ７の下側首部７Ａを挟持する挟持対向部５として構成されている。
【００３１】
また、この左右の挟持板１の夫々の中ほどには、ボルト通し孔２が貫通形成され、この左右のボルト通し孔２を介して左右の挟持板１間に締付ボルト３（六角ボルト）が回り止め状態で貫通配設され、この締付ボルト３の先端には締付ナット４（六角ナット）が螺着されていて、この締付ナット４の締付回動操作により左右の挟持板１の対向間隔を狭めて前記挟持対向部５同志を接近させ、前記ハゼ７の下側首部７Ａを締付挟持することで、屋根用取付金具Ａをハゼ７（屋根６上）に取付固定し得るように構成されている。
【００３２】
本実施例は、前記左右の挟持板１の夫々の前記ボルト通し孔２の近傍に、左右の挟持板１の対向内側に向けて突出する補強リブ部８が設けられ、この補強リブ部８同志を前記締付ナット４（締付ボルト３）の締付操作により接近させて前記ハゼ７の上側幅広頭部７Ｂに締付挟持固定し得るように構成されている。
【００３３】
具体的には、左右の挟持板１の夫々の前記ボルト通し孔２の近傍が、例えば金属プレス加工により左右の挟持板１の対向内側に向かって突出変形する形状、即ち左右の挟持板１の対向内側面が内方に向かって凸となり、対向外側面が内方に向かって凹となる形状に一体成形され、この左右の挟持板１のボルト通し孔２近傍の内向き突出変形板部８が、前記補強リブ部８として構成されている。
【００３４】
また、この補強リブ部８は、左右の挟持板１の夫々の前記ボルト通し孔２の近傍にしてこのボルト通し孔２より上方位置と下方位置とに連続的に設けられていて、このうちボルト通し孔２の下方に存する補強リブ部８の対向内側面部位が、前記ハゼ７の上側幅広頭部７Ｂに締付挟持固定し得る挟持面12として構成されていると共に、この補強リブ部８の挟持面12は、２ｃｍ程度の前後幅（屋根用取付金具Ａの前後方向に沿ったリブ幅）を有する形状に形成されて、この挟持面12がハゼ７の上側幅広頭部７Ｂに面接触するように構成されている。
【００３５】
即ち、本屋根用取付金具Ａは、締付ボルト３に螺着されている締付ナット４を締付回動操作した際に、左右の挟持板１の夫々の下部の挟持対向部５がハゼ７の下側首部７Ａを締付挟持すると同時に、ボルト通し孔２近傍の内側に突出する補強リブ部８がハゼ７の上側幅広頭部７Ｂを締付挟持して、ハゼ７（屋根６）に対し極めて強固に締付挟持固定されるように構成されており、更に補強リブ部８の挟持面12が屋根７のハゼ７の上側幅広頭部７Ｂに面接触するため、上側幅広頭部７Ｂを圧接しながらもこの圧接部位を傷付けにくい構成とされている。
【００３６】
また、補強リブ部８（のボルト通し孔２より下方に存する部位）が左右の挟持板１のボルト通し孔２近傍に設けられているため、締付ナット４（締付ボルト３）による締付力の伝達ロスが少なく、補強リブ部８の締付挟持力が上側幅広頭部７Ｂに良好に伝達されて強固な挟持固定作用を発揮できるように構成されている。
【００３７】
尚、本実施例では、挟持板１に補強リブ部８が一体成形されている場合を示しているが、挟持板１の対向内側面に適宜な補強材が取付けられてこの補強材が補強リブ部８として機能する構成が採用されていても良い。
【００３８】
また、本実施例の左右の補強リブ部８の挟持面12は、夫々の下側面部が下方に至るほど対向間隔が大きくなる傾斜挟持面12Ａに形成されている。
【００３９】
従って、締付ナット４（締付ボルト３）による締付挟持時に、傾斜挟持面12Ａを含む挟持面12が上側幅広頭部７Ｂの左右側頭部に挟持圧接すると、その挟持力によって挟持面12が上側幅広頭部７Ｂ（の側頭部）に対し面接しつつ上方へ移動しようとすることになる。即ち、挟持対向部５と補強リブ部８の締付挟持力が締付ナット４（締付ボルト３）の締付方向の挟持力だけでなく、上方への締付挟持力としてもハゼ７の下側首部７Ａと上側幅広頭部７Ｂとに伝達されることとなり、これにより挟持対向部５が下側首部７Ａとその上方のハゼアゴ部にもガッチリと圧接して非常に強固な締付挟持力を発揮し、屋根６（ハゼ７）に高強度に取付固定できるように構成されている（図３，図４参照）。
【００４０】
このような強固な挟持取付固定作用を発揮できる本実施例は、ハゼ７への取付安定性に優れる。それ故、本実施例でも従来品と同様に、屋根６上での接地安定性を確保するための接地脚13が左右の挟持板１の夫々の前後下端に一体的に設けられているが、本実施例の接地脚13は、仮置き時にだけ使用できるコスト安な最低限の大きさのものが形成されている。
【００４１】
また、補強リブ部８が左右の挟持板１の対向内側に向けて突出している本発明の屋根用取付金具Ａは、左右の挟持板の補強リブ部が左右の挟持板の対向外側に向かって突出している従来品に比して外形を小型化できており、施工時の取り回しが容易となる。
【００４２】
さらに、この内側に向かって突出している補強リブ部８を挟持板１に一体成形していることにより、左右のボルト通し孔２間の対向距離が従来品に比して近くなっており、それ故本実施例では、コスト安な短いボルトが締付ボルト３として採用されている（ボルトコストを低減している。）。
【００４３】
尚、本発明は、本実施例に限られるものではなく、各構成要件の具体的構成は適宜設計し得るものである。
【符号の説明】
【００４４】
１  挟持板
２  ボルト通し孔
３  締付ボルト
４  締付ナット
５  挟持対向部
６  屋根
７  ハゼ
７Ａ  下側首部
７Ｂ  上側幅広頭部
８  補強リブ部
Ａ  屋根用取付金具
【図１】
2020190165.tif 000003
【図２】
2020190165.tif 000004
【図３】
2020190165.tif 000005
【図４】
2020190165.tif 000006
【図５】
2020190165.tif 000007